(57)【要約】【課題】受信可能なチャネルの周波数を適切に見つけることが可能な技術を提供する。【解決手段】電子機器は、互いに異なる周波数が割り当てられた複数のチャネルの信号を受信することが可能であり、サーチ処理部及びしきい値調整部を備える。サーチ処理部は、受信周波数を遷移させながら、当該受信周波数での受信状態を示す値としきい値とを比較し、その比較結果に基づいて、受信可能なチャネルの周波数をサーチするサーチ処理を実行する。しきい値調整部は、電子機器の動作状況に応じてしきい値を調整する。【選択図】図２
2016208334.tif 000002
【特許請求の範囲】
【請求項１】
互いに異なる周波数が割り当てられた複数のチャネルの信号を受信することが可能な電子機器であって、
受信周波数を遷移させながら、当該受信周波数での受信状態を示す値としきい値とを比較し、その比較結果に基づいて、受信可能なチャネルの周波数をサーチするサーチ処理を実行するサーチ処理部と、
前記電子機器の動作状況に応じて前記しきい値を調整するしきい値調整部と
を備える、電子機器。
【請求項２】
請求項１に記載の電子機器であって、
非接触充電可能な電池をさらに備え、
前記しきい値調整部は、前記非接触充電が実行中か否かに基づいて、前記しきい値を調整する、電子機器。
【請求項３】
請求項１及び請求項２のいずれか一つに記載の電子機器であって、
外部装置と通信を行う通信部をさらに備え、
前記しきい値調整部は、前記通信が実行中か否かに基づいて、前記しきい値を調整する、電子機器。
【請求項４】
請求項１乃至請求項３のいずれか一つに記載の電子機器であって、
前記サーチ処理の実行によって受信可能なチャネルの周波数として特定された複数の周波数の第１間隔を求める取得部をさらに備え、
前記しきい値調整部は、前記第１間隔が所定値よりも小さいあるいは前記所定値以下であるとき、前記しきい値を大きくする、電子機器。
【請求項５】
請求項４に記載の電子機器であって、
前記取得部は、前記しきい値調整部によって大きくされた前記しきい値が用いられた前記サーチ処理の実行によって受信可能なチャネルの周波数として特定された複数の周波数の第２間隔を求め、
前記しきい値調整部は、前記第２間隔が前記所定値よりも小さいあるいは前記所定値以下であるとき、前記しきい値をさらに大きくする、電子機器。
【請求項６】
互いに異なる周波数が割り当てられた複数のチャネルの信号を受信することが可能な電子機器の動作方法であって、
受信周波数を遷移させながら、当該受信周波数での受信状態を示す値としきい値とを比較し、その比較結果に基づいて、受信可能なチャネルの周波数をサーチするサーチ処理を実行する工程と、
前記電子機器の動作状況に応じて前記しきい値を調整する工程と
を備える、電子機器の動作方法。
【発明の詳細な説明】
【技術分野】
【０００１】
本発明は、受信技術に関する。
【背景技術】
【０００２】
特許文献１及び２に記載されているように、従来から様々な受信技術が提案されている。
【先行技術文献】
【特許文献】
【０００３】
【特許文献１】特開２００１−２６７９５１号公報
【特許文献２】特開２００９−１２４２９３号公報
【発明の概要】
【発明が解決しようとする課題】
【０００４】
互いに異なる周波数が割り当てられた複数のチャネルの信号を受信する際には、受信可能なチャネルの周波数をサーチするサーチ処理が実行される。このサーチ処理では、受信可能なチャネルの周波数を適切に見つけることができることが望まれる。
【０００５】
そこで、本発明は上述の点に鑑みて成されたものであり、受信可能なチャネルの周波数を適切に見つけることが可能な技術を提供することを目的とする。
【課題を解決するための手段】
【０００６】
電子機器及び電子機器の動作方法が開示される。一の実施の形態では、電子機器は、互いに異なる周波数が割り当てられた複数のチャネルの信号を受信することが可能であり、サーチ処理部及びしきい値調整部を備える。サーチ処理部は、受信周波数を遷移させながら、当該受信周波数での受信状態を示す値としきい値とを比較し、その比較結果に基づいて、受信可能なチャネルの周波数をサーチするサーチ処理を実行する。しきい値調整部は、電子機器の動作状況に応じてしきい値を調整する。
【０００７】
また、一の実施の形態では、電子機器の動作方法は、互いに異なる周波数が割り当てられた複数のチャネルの信号を受信することが可能な電子機器の動作方法である。電子機器の動作方法は、受信周波数を遷移させながら、当該受信周波数での受信状態を示す値としきい値とを比較し、その比較結果に基づいて、受信可能なチャネルの周波数をサーチするサーチ処理を実行する工程と、電子機器の動作状況に応じてしきい値を調整する工程とを備える。
【発明の効果】
【０００８】
受信可能なチャネルの周波数を適切に見つけることができる。
【図面の簡単な説明】
【０００９】
【図１】電子機器の構成を示す図である。
【図２】受信回路の構成を示す図である。
【図３】ＦＭラジオ画面の一例を示す図である。
【図４】受信回路の動作を示すフローチャートである。
【図５】各チャネルの周波数でのＲＳＳＩの一例を示す図である。
【図６】各チャネルの周波数でのＲＳＳＩの一例を示す図である。
【図７】制御部の動作を示すフローチャートである。
【図８】制御部の動作を示すフローチャートである。
【図９】設定値テーブルの一例を示す図である。
【図１０】設定値テーブルの一例を示す図である。
【図１１】制御部の動作を示すフローチャートである。
【図１２】制御部の動作を示すフローチャートである。
【発明を実施するための形態】
【００１０】
＜電子機器の構成＞
図１は電子機器１の構成を示す図である。電子機器１は、例えば、スマートフォン等の携帯電話機である。電子機器１は、複数種類の通信方式を用いて外部装置と通信することが可能である。また電子機器１は、外部の非接触充電装置２００によって非接触充電されることが可能である。非接触充電は「ワイヤレス充電」あるいは「無接点充電」とも呼ばれる。
【００１１】
図１に示されるように、電子機器１は、制御部２と、第１無線通信部３と、第２無線通信部４と、第３無線通信部５と、第４無線通信部６とを備えている。電子機器１は、さらに、レシーバ７と、外部スピーカ８と、マイク９と、受信回路１０と、有線通信部１１とを備えている。そして、電子機器１は、表示パネル１２と、タッチパネル１３と、撮像部１４と、電源部１５とを備えている。
【００１２】
制御部２は、第１無線通信部３等の他の構成要素を制御して、電子機器１の動作を統括的に管理することが可能である。制御部２は、一種のデジタル処理回路であり、ＣＰＵ（Central Processing Unit）２０、ＤＳＰ（Digital Signal Processor）２１、記憶部２２等を備えている。記憶部２２は、ＲＯＭ(Read-Only-Memory)及びＲＡＭ(Random-Access-Memory)等で構成されている。制御部２の各種機能は、ＣＰＵ２０及びＤＳＰ２１が記憶部２２内の各種プログラムを実行することによって実現される。
【００１３】
第１無線通信部３は、例えば、ＣＤＭＡ（Code Division Multiple Access）２０００ １ｘに応じた無線通信（以後、「ＣＤＭＡ通信」と呼ぶ）を基地局と行う。第１無線通信部３はアンテナ３ａを有している。第１無線通信部３は、アンテナ３ａで受信される受信信号に対して増幅処理等を行って、各種処理後の受信信号を制御部２に出力する。また第１無線通信部３は、制御部２が生成する送信信号に対して増幅処理等を行って、各種処理後の送信信号をアンテナ３ａから送信する。
【００１４】
第２無線通信部４は、例えば、ＬＴＥ（Long Term Evolution）に応じた通信（以後、「ＬＴＥ通信」と呼ぶ）を基地局と行う。第２無線通信部４はアンテナ４ａを有している。第２無線通信部４は、アンテナ４ａで受信される受信信号に対して増幅処理等を行って、各種処理後の受信信号を制御部２に出力する。また第２無線通信部４は、制御部２が生成する送信信号に対して増幅処理等を行って、各種処理後の送信信号をアンテナ４ａから送信する。
【００１５】
第３無線通信部５は、例えば、Ｂｌｕｅｔｏｏｔｈ（登録商標）に応じた無線通信（以後、「Ｂｌｕｅｔｏｏｔｈ通信」と呼ぶ）を外部装置と行う。第３無線通信部５は、例えば、Ｂｌｕｅｔｏｏｔｈ対応のヘッドフォン、スピーカ及びキーボード等と通信することが可能である。第３無線通信部５はアンテナ５ａを有している。第３無線通信部５は、アンテナ５ａで受信される受信信号に対して増幅処理等を行って、各種処理後の受信信号を制御部２に出力する。また第３無線通信部５は、制御部２が生成する送信信号に対して増幅処理等を行って、各種処理後の送信信号をアンテナ５ａから送信する。
【００１６】
第４無線通信部６は、例えば、ＷｉＦｉ（Wireless Fidelity）に応じた無線通信（以後、「ＷｉＦｉ通信」と呼ぶ）をアクセスポイントと行う。第４無線通信部６はアンテナ６ａを有している。第４無線通信部６は、アンテナ６ａで受信される受信信号に対して増幅処理等を行って、各種処理後の受信信号を制御部２に出力する。また第４無線通信部６は、制御部２が生成する送信信号に対して増幅処理等を行って、各種処理後の送信信号をアンテナ６ａから送信する。
【００１７】
制御部２は、第１無線通信部３、第２無線通信部４、第３無線通信部５及び第４無線通信部６から出力される受信信号に対して復調処理等を行って、当該受信信号に含まれる各種データを取得する。
【００１８】
受信回路１０は、例えば、ＦＭ（Frequency Modulation）ラジオ信号を受信する。受信回路１０はアンテナ１００ａを有している。受信回路１０は、アンテナ１００ａで受信されるＦＭラジオ信号に対して各種処理を行って、当該ＦＭラジオ信号から、音声等を含む音信号を抽出して制御部２に出力する。制御部２は、受信回路１０からの音信号に対してフィルタ処理等を行って、処理後の音信号をレシーバ７あるいは外部スピーカ８に出力する。これにより、レシーバ７あるいは外部スピーカ８からは、ＦＭラジオ放送局から放送される音声等が出力される。また制御部２は、音信号を第３無線通信部５に出力することも可能である。第３無線通信部５は、制御部２から音信号を受け取ると、Ｂｌｕｅｔｏｏｔｈ通信を行って、Ｂｌｕｅｔｏｏｔｈ対応のヘッドフォン及びスピーカ等に対して、受け取った音信号を出力する。これにより、Ｂｌｕｅｔｏｏｔｈ対応のヘッドフォン及びスピーカから、ＦＭラジオ放送局から放送される音声等が出力される。
【００１９】
有線通信部１１は、例えば、ＵＳＢ（Universal Serial Bus）に応じた有線通信（以後、「ＵＳＢ通信」と呼ぶ）を外部装置と行う。有線通信部１１は、ＵＳＢ通信を行う外部装置からの信号を受信して制御部２に出力する。また有線通信部１１は、制御部２で生成された信号を、ＵＳＢ通信を行う外部装置に出力する。
【００２０】
レシーバ７は、受話音を出力するものであって、例えばダイナミックスピーカで構成されている。レシーバ７は、制御部２からの電気的な音信号を音に変換して出力する。
【００２１】
外部スピーカ８は、例えばダイナミックスピーカであって、制御部２からの電気的な音信号を音に変換して出力する。外部スピーカ８から出力される音は、電子機器１から離れた場所でも聞こえるようになっている。
【００２２】
マイク９は、電子機器１の外部から入力される音を電気的な音信号に変換して制御部２に出力する。表示パネル１２は、例えば、液晶表示パネルあるいは有機ＥＬパネルである。表示パネル１２は、制御部２によって制御されることによって、文字、記号、図形などの各種情報を表示する。表示パネル１２に表示される情報は、電子機器１の前面に設けられた透明の表示領域に示されることによって、当該情報は電子機器１のユーザに視認可能となる。
【００２３】
タッチパネル１３は、例えば、投影型静電容量方式のタッチパネルであって、電子機器１の前面に設けられた表示領域に対する操作を検出する。タッチパネル１３は、表示領域に対する操作を検出すると、検出信号を制御部２に出力する。制御部２は、タッチパネル１３からの検出信号に基づいて、表示領域に対して行われた操作の内容を特定して、その内容に応じた処理を行う。
【００２４】
撮像部１４は、撮像レンズ及び撮像素子などで構成されており、制御部２による制御に基づいて、静止画像及び動画像を撮像する。撮像部１４は、撮像した画像を示す画像データを制御部２に出力する。
【００２５】
電源部１５は電子機器１の電源を出力する。電源部１５から出力された電源は、電子機器１が備える制御部２及び第１無線通信部３などに供給される。電源部１５は、電池１５０と、当該電池１５０を充電する充電処理部１５１とを備えている。電源部１５は電池１５０からの電力を電子機器１の電源として出力する。また電源部１５は、電子機器１の外部から供給される電力を電子機器１の電源として出力することも可能である。
【００２６】
充電処理部１５１は、電子機器１に対して非接触充電を行う非接触充電装置２００からの電力に基づいて電池１５０を充電することが可能である。非接触充電装置２００には、充電処理部１５１に対して電力を送る送電コイル２００ａが設けられている。充電処理部１５１には、送電コイル２００ａから供給される電力を受ける受電コイル１５１ａが設けられている。充電処理部１５１は、受電コイル１５１ａが受ける電力に基づいて電池１５０を充電する。例えば、電子機器１が非接触充電装置２００の上に置かれたとき、非接触充電装置２００による電子機器１に対する非接触充電が行われる。非接触充電は、例えば、ＰＭＡ（Power Matters Alliance）が定める規格に準拠して行われる。なお、非接触充電は、他の規格、例えば、Ｑｉ（チー）と呼ばれる規格に準拠して行われても良い。
【００２７】
＜受信回路の構成＞
次に受信回路１０の構成について詳細に説明する。図２は受信回路１０の構成を示す図である。受信回路１０は、制御部２による制御によって、互いに異なる周波数が割り当てられた複数のＦＭラジオチャネルの信号を受信することが可能である。以後、ＦＭラジオチャネルを「ラジオチャネル」あるいは「チャネル」と呼ぶことがある。
【００２８】
図２に示されるように、受信回路１０は、アンテナ１００ａを有するフロントエンド回路１００と、局部発振器１０１と、検波回路１０２と、Ａ／Ｄ変換器１０３と、受信レベル測定回路１０４と、受信チャネル選択部１０５とを備えている。
【００２９】
フロントエンド回路１００は、アンテナ１００ａで受信されるＦＭラジオ信号に対して増幅処理、ダウンコンバート及びフィルタ処理等を行って、中間周波数のＦＭラジオ信号（以後、「ＩＦ信号」と呼ぶ）を生成して出力する。フロントエンド回路１００は、局部発振器１０１が出力する局部発振信号と、アンテナ１００ａで受信されるＦＭラジオ信号とをミキサで乗算し、それによって得られた信号をバンドパスフィルタでフィルタ処理することによってＩＦ信号を生成する。局部発振信号の周波数（以後、「局部発振周波数」と呼ぶ）は、受信チャネル選択部１０５により制御される。局部発振周波数が制御されることにより、受信回路１０での受信周波数が制御され、受信チャネルが選択（選局）される。
【００３０】
検波回路１０２は、フロントエンド回路１００から出力されるＩＦ信号に対して検波処理を行って、当該ＩＦ信号に含まれる音信号を取得する。Ａ／Ｄ変換器１０３は、検波回路１０２で取得された音信号をアナログ形式からデジタル形式に変換して制御部２に出力する。
【００３１】
受信レベル測定回路１０４は、フロントエンド回路１００からのＩＦ信号に基づいて、受信周波数でのＲＳＳＩ（Received Signal Strength Indication）、言い換えれば受信チャネルでのＲＳＳＩを求める。ＲＳＳＩは受信レベルであると言える。またＲＳＳＩは、受信状態を示す値であると言える。
【００３２】
受信チャネル選択部１０５は、制御部２からの指示に応じて、局部発振周波数を設定する。受信チャネル選択部１０５は、局部発振周波数を設定することによって、受信回路１０での受信周波数を設定する。つまり、受信チャネル選択部１０５は、局部発振周波数を設定することによって、アンテナ１００ａで受信される受信信号から、どの周波数の信号を取得するかを設定する。受信周波数が設定されることにより、受信回路１０が受信する受信チャネルが選択される。
【００３３】
また、受信チャネル選択部１０５は、受信レベル測定回路１０４で求められるＲＳＳＩを用いて、受信可能なチャネルの周波数（以後、「受信可能チャネル周波数」と呼ぶ）をサーチするサーチ処理を実行する。したがって、受信チャネル選択部１０５は、サーチ処理を実行するサーチ処理部としても機能する。受信回路１０の受信周波数がチャネルの周波数と一致する場合には、受信回路１０は、そのチャネルの信号を受信して制御部２に出力する。これにより、当該チャネルから放送される音声等が電子機器１から出力される。
【００３４】
＜サーチ処理について＞
ユーザが電子機器１の前面の表示領域に対して所定操作を行うと、制御部２は記憶部２２に記憶されている、ＦＭラジオ放送を受信するためのアプリケーションプログラム（以後、「ＦＭラジオアプリ」と呼ぶ）を実行する。図３はＦＭラジオアプリが実行されている際に電子機器１に表示されるＦＭラジオ画面３００の表示例を示す図である。ユーザはＦＭラジオ画面３００を利用して受信チャネルを選択することができる。
【００３５】
ＦＭラジオ画面３００には、例えば、現在の受信周波数を示す受信周波数情報３０１が含まれる。またＦＭラジオ画面３００には、受信周波数を低域側に遷移させるための低域遷移ボタン３０２ａと、受信周波数を高域側に遷移させるための高域遷移ボタン３０２ｂとが含まれる。以後、低域遷移ボタン３０２ａ及び高域遷移ボタン３０２ｂを区別する必要がないときには、それぞれを「遷移ボタン３０２」と呼ぶ。
【００３６】
ユーザによって低域遷移ボタン３０２ａが操作されると、制御部２は、受信チャネル選択部１０５に対して、低域側に受信周波数を遷移させることを指示する。これにより、受信チャネル選択部１０５は、局部発振周波数を変更して、低域側に受信周波数を遷移させる。
【００３７】
一方で、ユーザによって高域遷移ボタン３０２ｂが操作されると、制御部２は、受信チャネル選択部１０５に対して、高域側に受信周波数を遷移させることを指示する。これにより、受信チャネル選択部１０５は、局部発振周波数を変更して、高域側に受信周波数を遷移させる。
【００３８】
制御部２は、受信チャネル選択部１０５を制御することによって、ユーザ操作があるたびに所定間隔で受信周波数を遷移させることが可能である。以後、当該所定間隔を「遷移ステップ」と呼ぶ。遷移ステップは、例えば１００ｋＨｚあるいは２００ｋＨｚに設定される。なお、遷移ステップは他の値でも良い。ユーザによって低域遷移ボタン３０２ａがタップ操作（短押し操作）されると、制御部２は、受信チャネル選択部１０５に対して、遷移ステップだけ低域側に受信周波数を遷移させることを指示する。これにより、受信周波数が、遷移ステップだけ低域側に遷移する。一方で、ユーザによって高域遷移ボタン３０２ｂがタップ操作されると、制御部２は、受信チャネル選択部１０５に対して、遷移ステップだけ高域側に受信周波数を遷移させることを指示する。これにより、受信周波数が、遷移ステップだけ高域側に遷移する。
【００３９】
また制御部２は、受信チャネル選択部１０５に対してサーチ処理の実行を指示することが可能である。ユーザによって低域遷移ボタン３０２ａがロングタップ操作（長押し操作）されると、制御部２は、受信チャネル選択部１０５に対して、受信周波数を低域側に遷移させながら受信可能チャネル周波数をサーチする低域サーチ処理の実行を指示する。低域サーチ処理の実行の指示を受けた受信チャネル選択部１０５は、受信周波数を遷移ステップごとに低域側に順次遷移させながら、受信可能チャネル周波数をサーチする。そして、受信チャネル選択部１０５は、受信可能チャネル周波数を最初に見つけると、受信周波数を、最初に見つけた受信可能チャネル周波数に設定した状態で低域サーチ処理を終了する。これにより、受信可能チャネル周波数が正しく見つけられると、当該受信可能チャネル周波数のラジオチャネルから放送される音声等が電子機器１のレシーバ７等から出力される。
【００４０】
一方で、ユーザによって高域遷移ボタン３０２ｂがロングタップ操作されると、制御部２は、受信チャネル選択部１０５に対して、受信周波数を高域側に順次遷移させながら受信可能なチャネル周波数をサーチする高域サーチ処理の実行を指示する。高域サーチ処理の実行を指示を受けた受信チャネル選択部１０５は、受信周波数を遷移ステップごとに順次高域側に遷移させながら、受信可能チャネル周波数をサーチする。そして、受信チャネル選択部１０５は、受信可能チャネル周波数を最初に見つけると、受信周波数を、最初に見つけた受信可能チャネル周波数に設定した状態で高域サーチ処理を停止する。
【００４１】
このように、サーチ処理が開始し、受信可能チャネル周波数が最初に見つけられた段階で、見つけられた受信可能チャネル周波数に受信周波数が設定された状態でサーチ処理が終了するという機能は「サーチストップ」と呼ばれることがある。以後、サーチ処理で最初に見つけられた受信可能チャネル周波数、つまりサーチ処理が終了したときの受信周波数を「サーチストップ周波数」と呼ぶことがある。
【００４２】
以下に受信チャネル選択部１０５でのサーチ処理についてさらに詳細に説明する。図４はサーチ処理（サーチストップ）を示すフローチャートである。図４に示されるように、ステップｓ１において、受信チャネル選択部１０５は、制御部２からサーチ処理（低域サーチ処理あるいは高域サーチ処理）の実行を指示するサーチ実行指示を受け取ると、サーチ処理を開始する。つまり、受信チャネル選択部１０５は、ステップｓ２において、局部発振周波数を変化させて、受信周波数を遷移ステップだけ遷移させる。受信チャネル選択部１０５は、ステップｓ１において低域サーチ処理の実行指示を受けた場合には、現在の受信周波数を低域側に遷移ステップだけ遷移させる。一方で、受信チャネル選択部１０５は、ステップｓ１において高域サーチ処理の実行指示を受けた場合には、現在の受信周波数を高域側に遷移ステップだけ遷移させる。
【００４３】
次にステップｓ３において、受信チャネル選択部１０５は、受信レベル測定回路１０４で求められる、現在の受信周波数でのＲＳＳＩがしきい値よりも大きいか否かを判定する。ステップｓ３において、受信チャネル選択部１０５は、ＲＳＳＩがしきい値よりも大きいと判定すると、ステップｓ４において、現在の受信周波数を、受信可能チャネル周波数として特定する。これにより、受信可能チャネル周波数が見つけられる。そして、ステップｓ５において、受信チャネル選択部１０５はサーチ処理を終了する。このとき、受信周波数は、見つけられた受信可能チャネル周波数（サーチストップ周波数）に設定されていることから、受信回路１０は、当該受信可能チャネル周波数のラジオチャネルからの信号を取得して制御部２に出力することができる。
【００４４】
一方で、ステップｓ３において、受信チャネル選択部１０５は、ＲＳＳＩがしきい値以下であると判定すると、ステップｓ２を再度実行して、現在の受信周波数を、遷移ステップだけ遷移させる。以後、受信チャネル選択部１０５は同様に動作する。サーチ処理では、受信可能チャネル周波数が見つかるまで受信周波数が遷移ステップごとに自動的に遷移する。
【００４５】
以上のようなサーチストップにより、ユーザが遷移ボタン３０２をロングタップ操作すると、電子機器１では、当該ロングタップ操作されたときの受信周波数に近い受信可能チャネル周波数が特定されて受信周波数に自動的に設定される。
【００４６】
なお、ステップｓ３では、ＲＳＳＩがしきい値よりも大きいか否かが判定されていたが、ＲＳＳＩがしきい値以上であるか否かが判定されても良い。以後、ステップｓ３で使用されるしきい値を「判定しきい値」と呼ぶ。
【００４７】
また、ステップｓ３では、ＲＳＳＩと判定しきい値とが比較されていたが、ＲＳＳＩ以外の、受信状態を示す値と、判定しきい値とを比較しても良い。例えば、Ｓ／Ｎ比あるいは受信感度と判定しきい値とを比較しても良い。
【００４８】
また、ユーザは、ＦＭラジオ画面３００に対して所定の操作を行うことによって、現在の受信周波数を登録周波数として電子機器１に記憶させることができる。そして、ユーザは、ＦＭラジオ画面３００に対して所定の操作を行うことによって、電子機器１に、登録周波数を受信周波数に設定させることができる。またユーザは、ＦＭラジオ画面３００に対して所定操作を行うことによって、電子機器１に対して受信周波数の設定値を入力することが可能である。
【００４９】
＜しきい値調整処理について＞
電子機器１では、その動作状況によって、受信回路１０でのＦＭラジオ帯域のノイズレベル（ノイズフロア）が大きくなることがある。例えば、電池１５０が非接触充電装置２００によって非接触充電されているときには、ＦＭラジオ帯域のノイズレベルが大きくなることがある。また、第１無線通信部３、第２無線通信部４、第３無線通信部５、第４無線通信部６及び有線通信部１１の少なくとも一つが通信しているときには、ＦＭラジオ帯域のノイズレベルが大きくなることがある。特に、電子機器１の設計においては、ＣＤＭＡ通信を行う第１無線通信部３のアンテナ３ａ、ＬＴＥ通信を行う第２無線通信部４のアンテナ４ａ、充電処理部１５１の受電コイル１５１ａ等のレイアウトが、受信回路１０のアンテナ１００ａのレイアウトよりも優先されることから、受信回路１０はノイズの影響を受けやすいことがある。この場合には、電子機器１の動作状況によって、受信回路１０でのＦＭラジオ帯域のノイズレベルが大きくなり易い。
【００５０】
ＦＭラジオ帯域のノイズレベルが大きくなると、受信チャネル選択部１０５は、サーチ処理において、受信可能チャネル周波数を適切に特定できない可能性がある。
【００５１】
図５はＦＭラジオ帯域のノイズレベルが小さい場合に受信レベル測定回路１０４で測定されるＲＳＳＩの一例を示す図である。図６はＦＭラジオ帯域のノイズレベルが大きい場合に受信レベル測定回路１０４で測定されるＲＳＳＩの一例を示す図である。図５，６では、横軸が周波数を示しており、縦軸が横軸に示される周波数でのＲＳＳＩを示している。
【００５２】
図５，６には、６つのラジオチャネルからの放送を受信できる地域で電子機器１が使用される場合の例が示されている。電子機器１は、６つのラジオチャネルの放送を受信可能となっている。図５，６に示される、先端が矢印で示される６つのピークは、６つのラジオチャネルの周波数でのＲＳＳＩをそれぞれ示している。図５，６の例では、判定しきい値ＴＨ１が−８０ｄＢｍに設定されている。
【００５３】
ＦＭラジオ帯域のノイズレベルが小さい場合には、図５に示されるように、判定しきい値ＴＨ１は、各チャネルの周波数でのＲＳＳＩと、ノイズレベル（ノイズの周波数でのＲＳＳＩ）との間に位置する可能性が高い。したがって、この場合には、受信チャネル選択部１０５が、ノイズの周波数を誤って受信可能チャネル周波数であると特定する可能性が低く、受信チャネル選択部１０５は受信可能チャネル周波数を適切に見つけることができる。よって、上記のようなサーチストップが実行される場合には、受信周波数がチャネルの周波数になったときにだけサーチ処理が終了する可能性が高い。つまり、受信周波数がノイズの周波数になったときにサーチ処理が終了する可能性が低い。
【００５４】
一方で、ＦＭラジオ帯域のノイズレベルが大きい場合には、図６に示されるように、判定しきい値ＴＨ１がノイズレベル以下となる可能性がある。この場合には、受信チャネル選択部１０５が、ノイズの周波数を誤って受信可能チャネル周波数であると特定する可能性が高く、受信チャネル選択部１０５は受信可能チャネル周波数を適切に見つけることが困難となる。よって、サーチストップが実行される場合には、受信周波数がノイズの周波数になったときにもサーチ処理が終了する可能性が高くなり、サーチストップが実質的に機能しない可能性がある。極端な例で言えば、サーチ処理が開始してから受信周波数が遷移ステップ（例えば１００ｋＨｚ）だけ変化した時点でサーチ処理が終了するといったことが常に生じる可能性がある。
【００５５】
そこで、電子機器１は、自身の動作状況に応じて判定しきい値を調整する機能を有している。これにより、電子機器１の動作状況が、ノイズレベルが大きい動作状況であったとしても、電子機器１は、判定しきい値を、各チャネルの周波数でのＲＳＳＩと、ノイズレベルとの間に設定することが可能となり、受信可能チャネル周波数を適切に見つけることが可能となる。判定しきい値の調整は、例えば制御部２で実行される。つまり、制御部２は、電子機器１の動作状況に応じて判定しきい値を調整するしきい値調整部として機能する。制御部２は、ＦＭラジオアプリの実行中に、判定しきい値を調整するしきい値調整処理を実行する。制御部２は、ＦＭラジオアプリの実行を終了すると、判定しきい値をリセットして初期値に設定する。したがって、ＦＭラジオアプリの実行開始直後では、判定しきい値は初期値に設定されている。
【００５６】
図７はＦＭラジオアプリの実行中の制御部２の動作を示すフローチャートである。図７に示されるように、ＦＭラジオアプリの実行中の制御部２は、ステップｓ１において、タッチパネル１３からの検出信号に基づいて、ＦＭラジオ画面３００に含まれる遷移ボタン３０２に対してロングタップ操作が行われたことを認識すると、ステップｓ１２においてしきい値調整処理を実行する。そして、ステップｓ１３において、制御部２は、受信チャネル選択部１０５に対してサーチ実行指示を通知する。ＦＭラジオアプリの実行中の制御部２は、遷移ボタン３０２に対してロングタップ操作が行われるたびに、ステップｓ１１〜ｓ１３を実行する。
【００５７】
図８はステップｓ１２のしきい値調整処理を示すフローチャートである。制御部２は、例えば、その実行中にＦＭラジオ帯域のノイズレベルが大きくなる処理が現在実行中か否かに基づいて判定しきい値を調整する。以後、当該処理を「対象処理」と呼ぶ。図８の例では、制御部２は、複数の対象処理の少なくとも一つが実行中か否かに基づいて判定しきい値を調整する。当該複数の対象処理には、例えば、受信回路１０以外での通信及び非接触充電が含まれる。当該通信には、例えば、ＣＤＭＡ通信、ＬＴＥ通信、Ｂｌｕｅｔｏｏｔｈ通信、ＷｉＦｉ通信及びＵＳＢ通信が含まれる。
【００５８】
図８に示されるように、しきい値調整処理では、まずステップｓ１２１において、制御部２は、電子機器１において通信及び非接触充電の少なくとも一方が実行されているか否かを判定する。ここでの通信とは、ＣＤＭＡ通信及びＬＴＥ通信などの、受信回路１０での受信以外の通信を意味する。
【００５９】
ステップｓ１２１において、制御部２は、電子機器１において通信及び非接触充電の少なくとも一方が実行されていると判定すると、ステップｓ１２２において、電子機器１の動作状況に応じて判定しきい値を設定する。一方で、制御部２は、電子機器１において通信及び非接触充電が実行されていない判定すると、ステップｓ１２３において、判定しきい値を初期値に設定する。受信チャネル選択部１０５は、制御部２によって判定しきい値が新たに設定されると、新たに設定された判定しきい値を用いてサーチ処理を実行する。
【００６０】
ステップｓ１２２では、制御部２は、記憶部２２に記憶されている設定値テーブル４００に基づいて判定しきい値を決定する。図９は設定値テーブル４００の一例を示す図である。
【００６１】
図９に示されるように、設定値テーブル４００には、判定しきい値についての複数の設定値が含まれている。具体的には、設定値テーブル４００には、初期値α０と、電子機器１の様々な動作状況に応じた複数の設定値α１〜α６とが含まれている。設定値α１〜α６は、複数の対象処理にそれぞれ対応している。具体的には、設定値α１〜α６は、ＣＤＭＡ通信、ＬＴＥ通信、Ｂｌｕｅｔｏｏｔｈ通信、ＷｉＦｉ通信、ＵＳＢ通信及び非接触充電にそれぞれ対応している。
【００６２】
α１は、電子機器１がＣＤＭＡ通信しているときのＦＭラジオ帯域でのノイズレベルに応じた設定値である。α２は、電子機器１がＬＴＥ通信しているときのＦＭラジオ帯域でのノイズレベルに応じた設定値である。α３は、電子機器１がＢｌｕｅｔｏｏｔｈ通信しているときのＦＭラジオ帯域でのノイズレベルに応じた設定値である、α４は、電子機器１がＷｉＦｉ通信しているときのＦＭラジオ帯域でのノイズレベルに応じた設定値である。α５は、電子機器１がＵＳＢ通信しているときのＦＭラジオ帯域でのノイズレベルに応じて設定値α５である。α６は、電子機器１が非接触充電されているときのＦＭラジオ帯域でのノイズレベルに応じた設定値である。通信中あるいは非接触充電中では、ＦＭラジオ帯域でのノイズレベルが大きくなることから、設定値α１〜α６のそれぞれは、初期値α０以上に設定されている。設定値α１〜α６には、同じ値の複数の設定値が含まれても良い。
【００６３】
ステップｓ１２２において、制御部２は、第１無線通信部３がＣＤＭＡ通信を実行している場合には、判定しきい値を設定値α１に設定する。制御部２は、第２無線通信部４がＬＴＥ通信を実行している場合には、判定しきい値を設定値α２に設定する。制御部２は、第３無線通信部５がＢｌｕｅｔｏｏｔｈ通信を実行している場合には、判定しきい値を設定値α３に設定する。制御部２は、第４無線通信部６がＷｉＦｉ通信を実行している場合には、判定しきい値を設定値α４に設定する。制御部２は、有線通信部１１がＵＳＢ通信を実行している場合には、判定しきい値を設定値α５に設定する。そして、制御部２は、電池１５０が非接触充電装置２００によって非接触充電されている場合には、判定しきい値を設定値α６に設定する。初期値α０は、電子機器１において通信及び非接触充電が行われていないときのＦＭラジオ帯域でのノイズレベルに応じた設定値であると言える。
【００６４】
なお、ステップｓ１２２において、制御部２は、ＣＤＭＡ通信等の複数の対象処理のうち、少なくとも２つの対象処理が同時に実行されている場合には、当該少なくとも２つの対象処理に応じた少なくとも２つの設定値のうちの最大の設定値を判定しきい値に設定する。例えば、複数の対象処理のうち、非接触充電とＵＳＢ通信が実行中であって、非接触充電に応じた設定値α６が−７０ｄＢｍ、ＵＳＢ通信に応じた設定値α５が−７５ｄＢｍである場合には、制御部２は設定値α６を判定しきい値に設定する。
【００６５】
また、設定値α１〜α６の一部あるいは全部が、初期値α０よりも大きく設定されても良い。
【００６６】
このように、制御部２は、電子機器１の動作状況に応じて判定しきい値を調整することから、判定しきい値を適切に設定することができる。つまり、制御部２は、電子機器１の動作状況が、ＦＭラジオ帯域でのノイズレベルが大きい動作状況である場合であっても、図５と同様に、判定しきい値を、各チャネルの周波数でのＲＳＳＩと、ノイズレベルとの間に設定することが可能となる。よって、受信チャネル選択部１０５は、制御部２で調整された判定しきい値を用いてサーチ処理を実行することによって、受信可能チャネル周波数を適切に見つけることができる。その結果、サーチストップを適切に機能させることができる。
【００６７】
また、制御部２は、非接触充電が実行中か否かに基づいて、判定しきい値を調整するため、非接触充電の実行中にノイズレベルが大きくなる場合であっても、受信チャネル選択部１０５は、受信可能チャネル周波数を適切に見つけることができる。
【００６８】
また、制御部２は、ＣＤＭＡ通信等の通信が実行中か否かに基づいて、判定しきい値を調整するため、通信の実行中にノイズレベルが大きくなる場合であっても、受信チャネル選択部１０５は、受信可能チャネル周波数を適切に見つけることができる。
【００６９】
なお、ＦＭラジオアプリの実行中の制御部２は、ユーザがＦＭラジオ画面３００に対して所定時間以上何も操作を行わない場合には、判定しきい値を初期値に設定しても良い。
【００７０】
また、受信回路１０は、ＦＭラジオ信号を受信する回路であったが、他の種類の無線信号を受信する回路であっても良い。例えば、受信回路１０は、複数のＡＭラジオチャネルから送信されるＡＭ（Amplitude Modulation）ラジオ信号を受信する回路であっても良いし、複数のテレビ放送チャネルから送信されるテレビ放送信号を受信する回路であっても良い。
【００７１】
また、受信チャネル選択部１０５は、サーチストップを行わずに、一回のサーチ処理において、ＦＭラジオ帯域の全領域にわたって受信可能チャネル周波数をサーチするフルサーチを行っても良い。また、受信チャネル選択部１０５は、サーチストップ及びフルサーチの両方を実行することが可能であっても良い。
【００７２】
また、少なくとも２つの対象処理が同時に実行中の場合には、当該少なくとも２つの対象処理に含まれる一つの対象処理の実行中の場合と比較して、ノイズレベルが大きくなる可能性がある。したがって、図１０に示されるように、設定値テーブル４００には、少なくとも２つの対象処理が同時に実行されているときのＦＭラジオ帯域でのノイズレベルに応じた設定値が含まれても良い。つまり、設定値テーブル４００には、同時に実行される少なくとも２つの対象処理の組み合わせに対応する設定値が含まれても良い。
【００７３】
例えば、電子機器１においてＣＤＭＡ通信及びＬＴＥ通信が同時に実行される場合には、設定値テーブル４００には、図１０に示されるように、ＣＤＭＡ通信及びＬＴＥ通信が同時に実行されているときのＦＭラジオ帯域でのノイズレベルに応じた設定値α７（ＣＤＭＡ通信及びＬＴＥ通信の組み合わせに対応する設定値）が含まれても良い。
【００７４】
また、電子機器１においてＣＤＭＡ通信、ＬＴＥ通信及びＢｌｕｅｔｏｏｔｈ通信が同時に実行される場合には、設定値テーブル４００には、ＣＤＭＡ通信、ＬＴＥ通信及びＢｌｕｅｔｏｏｔｈ通信が同時に実行されているときのＦＭラジオ帯域でのノイズレベルに応じた設定値α８（ＣＤＭＡ通信、ＬＴＥ通信及びＢｌｕｅｔｏｏｔｈ通信の組み合わせに対応する設定値）が含まれても良い。
【００７５】
また、電子機器１においてＣＤＭＡ通信、ＬＴＥ通信、Ｂｌｕｅｔｏｏｔｈ通信及び非接触充電が同時に実行される場合には、設定値テーブル４００には、ＣＤＭＡ通信、ＬＴＥ通信、Ｂｌｕｅｔｏｏｔｈ通信及び非接触充電が同時に実行されているときのＦＭラジオ帯域でのノイズレベルに応じた設定値α９（ＣＤＭＡ通信、ＬＴＥ通信、Ｂｌｕｅｔｏｏｔｈ通信及び非接触充電の組み合わせに対応する設定値）が含まれても良い。
【００７６】
このように、設定値テーブル４００に、同時に実行される少なくとも２つの対象処理の組み合わせに対応する設定値が含まれる場合には、制御部２は、少なくとも２つの対象処理が同時に実行されているときには、当該少なくとも２つの対象処理の組み合わせに対応する設定値を判定しきい値に設定する。設定値テーブル４００には、ＣＤＭＡ通信及びＬＴＥ通信等を含む複数の対象処理のうち、同時に実行されることがある少なくとも２つの対象処理の全ての組み合わせのそれぞれに対応する設定値が含まれることが好ましい。
【００７７】
＜変形例＞
図１１は変形例に係る電子機器１の制御部２の動作を示すフローチャートを示す図である。変形例では、制御部２は、サーチ処理の実行によって受信可能チャネル周波数として特定された複数の周波数の間隔を求めて、求めた間隔に基づいて判定しきい値を調整する。制御部２は、サーチ処理の実行によって受信可能チャネル周波数として特定された複数の周波数の間隔を求める取得部として機能する。制御部２は、図１１に示される処理をＦＭラジオアプリの実行中に行う。
【００７８】
図１１に示されるように、ＦＭラジオ実行中の制御部２は、ステップｓ２１において、自身が有する第１〜第３レジスタ内の値をリセットする。そして、制御部２は、タッチパネル１３からの検出信号に基づいて、ＦＭラジオ画面３００に含まれる遷移ボタン３０２に対するロングタップ操作を認識すると、ステップｓ２２において、サーチ実行指示を受信チャネル選択部１０５に出力する。サーチ実行指示を受けた受信チャネル選択部１０５はサーチ処理を実行する。
【００７９】
次にステップｓ２３において、制御部２は、受信チャネル選択部１０５でのサーチ処理において、受信可能チャネル周波数が見つけられたか否かを判定する。制御部２は、受信可能チャネル周波数が見つけられたと判定すると、ステップｓ２４において、見つけられた受信可能チャネル周波数、つまりサーチストップ周波数を第１レジスタに記憶する。一方で、制御部２は、サーチ処理で受信可能チャネル周波数が見つけられなかったと判定すると、ステップｓ３４において、判定しきい値を初期値に設定する。
【００８０】
その後、制御部２は、遷移ボタン３０２に対するロングタップ操作を認識すると、ステップｓ２５において、サーチ実行指示を受信チャネル選択部１０５に出力する。サーチ実行指示を受けた受信チャネル選択部１０５はサーチ処理を実行する。
【００８１】
次にステップｓ２６において、制御部２は、受信チャネル選択部１０５でのサーチ処理において、受信可能チャネル周波数が見つけられたか否かを判定する。制御部２は、受信可能チャネル周波数が見つけられたと判定すると、ステップｓ２７において、見つけられた受信可能チャネル周波数、つまりサーチストップ周波数を第２レジスタに記憶する。一方で、制御部２は、サーチ処理で受信可能チャネル周波数が見つけられなかったと判定すると、ステップｓ３４を実行して、判定しきい値を初期値に設定する。
【００８２】
その後、制御部２は、遷移ボタン３０２に対するロングタップ操作を認識すると、ステップｓ２８において、サーチ実行指示を受信チャネル選択部１０５に出力する。サーチ実行指示を受けた受信チャネル選択部１０５はサーチ処理を実行する。
【００８３】
次にステップｓ２９において、制御部２は、受信チャネル選択部１０５でのサーチ処理において、受信可能チャネル周波数が見つけられたか否かを判定する。制御部２は、受信可能チャネル周波数が見つけられたと判定すると、ステップｓ３０において、見つけられた受信可能チャネル周波数、つまりサーチストップ周波数を第３レジスタに記憶する。一方で、制御部２は、サーチ処理で受信可能チャネル周波数が見つけられなかったと判定すると、ステップｓ３４を実行して、判定しきい値を初期値に設定する。
【００８４】
ステップｓ３０の後、制御部２は、ステップｓ３１において、第１レジスタ内の値と第２レジスタ内の値との差分の絶対値を求める。さらに、ステップｓ３１において、制御部２は、第２レジスタ内の値と第３レジスタ内の値との差分の絶対値を求める。ステップｓ３１で求められる２つの絶対値のそれぞれは、サーチ処理の実行によって受信可能チャネル周波数として特定された複数の周波数の間隔を示している。言い換えれば、２つの絶対値のそれぞれは、連続する２回のサーチ処理で得られた２つのサーチストップ周波数の間隔を示している。
【００８５】
次にステップｓ３２において、制御部２は、ステップｓ３１で求めた２つの絶対値がともにしきい値以下であるか否かを判定する。このしきい値は例えば５００ｋＨｚに設定される。制御部２は、各絶対値がしきい値以下であると判定すると、ステップｓ３３において、判定しきい値を所定値だけ大きくする。この所定値は例えば５ｄＢであって、制御部２は、判定しきい値を５ｄＢだけ大きくする。
【００８６】
上述図５，６に示されるように、ある地域で受信することが可能な複数のＦＭラジオチャネルの周波数の間隔は約１ＭＨｚ以上となっている。したがって、図５に示されるように判定しきい値が適切に設定されていれば、サーチ処理の実行によって受信可能チャネル周波数として特定される複数の周波数の間隔（複数のサーチストップ周波数の間隔）は１ＭＨｚ以上となる。
【００８７】
一方で、ノイズレベルが大きく、判定しきい値が、ノイズレベル付近あるいはノイズレベル以下に設定されている場合には、サーチ処理の実行によって受信可能チャネル周波数として特定される複数の周波数の間隔は１ＭＨｚよりも十分に小さくなる。図６の例のように、判定しきい値がノイズレベル未満に設定されている場合には、サーチ処理の実行によって受信可能チャネル周波数として特定される複数の周波数の間隔は、遷移ステップ、つまり１００ｋＨｚあるいは２００ｋＨｚ程度となる。
【００８８】
上述のように、制御部２は、ステップｓ３１で求められた各絶対値が５００ｋＨｚ以下である場合には、ＦＭラジオ帯域のノイズレベルが大きいとして、判定しきい値を大きくしている。つまり、制御部２は、サーチ処理の実行によって受信可能チャネル周波数として特定された複数の周波数の間隔が５００ｋＨｚ以下である場合には、ＦＭラジオ帯域のノイズレベルが大きいとして、判定しきい値を大きくしている。これにより、判定しきい値が適切に設定されるようになり、受信可能チャネル周波数を適切に見つけることができる。よって、サーチストップが適切に機能することができる。ステップｓ３２で使用されるしきい値は、ＦＭラジオ帯域における、隣り合う２つのＦＭラジオチャネルの周波数の間隔の最小値よりも小さい値に設定される。当該しきい値は、当該最小値よりも必ずしも小さい値である必要はない。また、当該しきい値は、遷移ステップよりも大きい値に設定される。
【００８９】
制御部２は、ステップｓ３３を実行した後、再度ステップｓ２１を実行して、第１〜第３レジスタ内の値をリセットする。その後、制御部２は、同様に動作する。図１１の例では、ステップｓ３１で求められる各絶対値がしきい値よりも大きくなるまで、判定しきい値は徐々に大きくされる。
【００９０】
このように、制御部２は、サーチ処理の実行によって受信可能チャネル周波数として特定された複数の周波数の間隔を求めて、求めた間隔に基づいて判定しきい値を調整している。これにより、制御部２は、判定しきい値を適切に設定することができ、その結果、受信チャネル選択部１０５は受信可能チャネル周波数を適切に見つけることができる。
【００９１】
なお、ノイズレベルが大きくなって判定しきい値が大きくされた後、電子機器１の動作状況の変化によりノイズレベルが小さくなった場合には、判定しきい値が大きすぎて、サーチ処理において受信可能チャネル周波数が見つからない可能性がある。このような状況を想定して、図１１の例では、ステップｓ２３，ｓ２６，２９において受信可能チャネル周波数が見つけられないと判定された場合には、ステップｓ３４が実行されて判定しきい値が初期化される。これにより、ノイズレベルが変動する場合であっても、判定しきい値を適切に設定することができる。
【００９２】
図１１の例では、制御部２は、２つの絶対値を求めて、当該２つの絶対値がともにしきい値以下のときに、判定しきい値を大きくしているが、絶対値を一つだけ求めて、求めた一つの絶対値がしきい値以下のときに判定しきい値を大きくしても良い。また、制御部２は、３つ以上の絶対値を求めて、当該３つ以上の絶対値がともにしきい値以下のときに、判定しきい値を大きくしても良い。
【００９３】
またステップｓ３２では、各絶対値がしきい値よりも小さいか否かを判定し、各絶対値がしきい値よりも小さい場合に判定しきい値を大きくしても良い。
【００９４】
また図１２に示されるように、図１１に示される処理は、電子機器１において通信及び非接触充電の少なくとも一方が実行されているときに実行されても良い。図１２に示される例では、制御部２は、上述のステップｓ１２１と同様に、ステップｓ４１において、電子機器１において通信及び非接触充電の少なくとも一方が実行されているか否かを判定する。ステップｓ４１において、制御部２は、電子機器１において通信及び非接触充電の少なくとも一方が実行されていると判定すると、ステップｓ２１を実行して、第１〜第３レジスタ内の値をリセットする。その後、制御部２は同様に動作する。一方で、制御部２は、電子機器１において通信及び非接触充電が実行されていない判定すると、ステップｓ３４を実行して、判定しきい値を初期値に設定する。その後、制御部２は、ステップｓ４１を実行し、以後同様に動作する。
【００９５】
このように、通信及び非接触充電の少なくとも一方が実行されているときに、つまりノイズレベルが大きくなっているときに、ステップｓ２１以降の処理を実行することによって、判定しきい値が適切な場合にステップｓ２１以降の処理が実行されることを抑制することができる。つまり、不要な処理が実行されることを抑制することができる。
【００９６】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【００９７】
１  電子機器
２  制御部
３  第１無線通信部
４  第２無線通信部
５  第３無線通信部
６  第４無線通信部
１１  有線通信部
１０５  受信チャネル選択部（サーチ処理部）
１５０  電池
【図１】
2016208334.tif 000003
【図２】
2016208334.tif 000004
【図３】
2016208334.tif 000005
【図４】
2016208334.tif 000006
【図５】
2016208334.tif 000007
【図６】
2016208334.tif 000008
【図７】
2016208334.tif 000009
【図８】
2016208334.tif 000010
【図９】
2016208334.tif 000011
【図１０】
2016208334.tif 000012
【図１１】
2016208334.tif 000013
【図１２】
2016208334.tif 000014